(57)【要約】【課題】  食品を保管する冷蔵庫にテレビ機能を含んだその他のディスプレー機能を付加することで、室内又は厨房の空間活用度を高めるだけでなく、家電機器使用の便利性を向上できるようにしたディスプレーを備えた冷蔵庫を提供する。【解決手段】  冷凍室及び冷蔵室などが備わった冷蔵庫本体１００と、前記冷蔵庫本体１００に装着される冷蔵庫ドア２００と、前記冷蔵庫本体１００又は冷蔵庫ドア２００の一側に装着されるディスプレー３００と、前記ディスプレー３００から発生する熱を冷却する放熱手段と、を含んでディスプレーを備えた冷蔵庫を構成する。【選択図】      図１
2004271175.tif 000002
【特許請求の範囲】
【請求項１】
冷凍室及び冷蔵室などが備わった冷蔵庫本体と、
前記冷蔵庫本体に装着される冷蔵庫ドアと、
前記冷蔵庫本体又は冷蔵庫ドアの一側に装着されるディスプレーと、
前記ディスプレーから発生する熱を冷却する放熱手段と、
を含んで構成されることを特徴とするディスプレーを備えた冷蔵庫。
【請求項２】
前記ディスプレーは、前記冷蔵庫ドアに装着されることを特徴とする請求項１記載のディスプレーを備えた冷蔵庫。
【請求項３】
前記放熱手段は、前記冷蔵庫ドアの前面に所定の面積及び深さを有するように形成され、前記ディスプレーが挿入される装着部と、外部の空気が前記装着部の内壁とディスプレーの後面との間を経て外部に流動するように案内する空気循環流路と、を含んで構成されることを特徴とする請求項１記載のディスプレーを備えた冷蔵庫。
【請求項４】
前記装着部は、前記冷蔵庫ドアを構成する断熱材に所定の面積及び深さを有するように溝が形成され、前記断熱材に形成された溝の形状に相応するように形成された内壁ケーシングが前記断熱材の溝に挿入されて結合されることを特徴とする請求項３記載のディスプレーを備えた冷蔵庫。
【請求項５】
前記空気循環流路は、前記ディスプレーを冷蔵庫ドアに固定し前記装着部を覆蓋するパネルフレームにそれぞれ貫通形成される流入口及び流出口と、前記パネルフレームの流入口及び流出口に連通され、前記ディスプレーの後面と装着部の内壁間の空間の内側流路と、から構成されることを特徴とする請求項３記載のディスプレーを備えた冷蔵庫。
【請求項６】
前記流入口及び流出口は、複数の小さい孔に形成されることを特徴とする請求項５記載のディスプレーを備えた冷蔵庫。
【請求項７】
前記流入口及び流出口は、それぞれ前記パネルフレームの上部及び下部に形成されることを特徴とする請求項５記載のディスプレーを備えた冷蔵庫。
【請求項８】
前記流入口及び流出口は、それぞれ前記パネルフレームの左部及び右部に形成されることを特徴とする請求項５記載のディスプレーを備えた冷蔵庫。
【請求項９】
前記空気循環流路に空気を強制循環させる放熱ファンが備わることを特徴とする請求項３記載のディスプレーを備えた冷蔵庫。
【請求項１０】
前記放熱ファンは、ディスプレーを構成する部品中、熱を最も多く発生する部品に隣接して設置することを特徴とする請求項９記載のディスプレーを備えた冷蔵庫。
【請求項１１】
前記放熱手段は、前記冷蔵庫ドアの一側に所定の面積に貫通形成された装着孔と、前記冷蔵庫ドアの装着孔に挿入固定され、内部に前記ディスプレーが装着される装着溝が形成された断熱ケーシングと、前記断熱ケーシングに結合され、前記ディスプレーから発生する熱を冷蔵庫ドア内側の冷たい空間に伝達する熱伝達部材と、を含んで構成されることを特徴とする請求項１記載のディスプレーを備えた冷蔵庫。
【請求項１２】
前記冷蔵庫ドアの装着孔は、四角形状に形成され、前記断熱ケーシングの外形は、六面体状に形成され、その一面に前記装着溝が形成されることを特徴とする請求項１１記載のディスプレーを備えた冷蔵庫。
【請求項１３】
前記ディスプレーは、所定形状のディスプレーケーシングに挿入されて、前記断熱ケーシングの装着溝に装着されることを特徴とする請求項１１記載のディスプレーを備えた冷蔵庫。
【請求項１４】
前記熱伝達部材は、所定の長さに形成され、前記断熱ケーシングの背壁に結合されると共に、前記ディスプレーの発熱部品に接触されることを特徴とする請求項１１記載のディスプレーを備えた冷蔵庫。
【請求項１５】
前記発熱部品は、前記ディスプレーを構成するインバータであることを特徴とする請求項１４記載のディスプレーを備えた冷蔵庫。
【請求項１６】
前記熱伝達部材は、前記断熱ケーシングの背壁に貫通結合されることを特徴とする請求項１１記載のディスプレーを備えた冷蔵庫。
【請求項１７】
前記断熱ケーシングの背壁を貫通する熱伝達部材の端部に複数の放熱フィンが備わることを特徴とする請求項１６記載のディスプレーを備えた冷蔵庫。
【請求項１８】
前記熱伝達部材は、前記断熱ケーシングの背壁内に位置するように結合されることを特徴とする請求項１１記載のディスプレーを備えた冷蔵庫。
【請求項１９】
前記ディスプレーの後面に、所定の面積を有する伝熱薄板が付着され、前記伝熱薄板に前記熱伝達部材が連結されることを特徴とする請求項１１記載のディスプレーを備えた冷蔵庫。
【請求項２０】
前記熱伝達部材は、アルミニウムを含有することを特徴とする請求項１１記載のディスプレーを備えた冷蔵庫。
【請求項２１】
前記伝熱薄板は、アルミニウム又は銅中少なくとも何れか一つを含有することを特徴とする請求項１９記載のディスプレーを備えた冷蔵庫。
【発明の詳細な説明】
【技術分野】
【０００１】
本発明は、ディスプレーを備えた冷蔵庫に関し、詳しくは、食品を保管する冷蔵庫にテレビ機能を含んだその他のディスプレー機能を付加することで、室内又は厨房の空間活用度を高め、且つ、ディスプレーから発生する熱を効果的に放出できるようにしたディスプレーを備えた冷蔵庫に関する。
【背景技術】
【０００２】
一般に、冷蔵庫は、肉類、魚類及び野菜のような食品を新鮮な状態に保管するための家電機器である。このような冷蔵庫は、冷凍室、冷蔵室及び野菜室などが備わった冷蔵庫本体と、前記冷蔵庫本体の一側に装着されて冷凍室及び冷蔵室を開閉する冷蔵庫ドアと、を含んで構成される。
前記冷蔵庫本体は、圧縮器、凝縮器、毛細管及び蒸発器などから構成される冷凍サイクル装置と、前記蒸発器により形成される冷気を強制流動させる送風ファンと、前記蒸発器から形成される冷気が冷凍室及び冷蔵室などを経た後、再び蒸発器側に流入されるように案内する循環流路と、を含んで構成される。
【０００３】
以下、このように構成された冷蔵庫の作動について説明する。
前記冷凍室や冷蔵室の温度が設定した温度以上になると、前記冷凍サイクル装置が作動するようになる。前記冷凍サイクル装置の作動により、蒸発器は冷気を形成するようになり、該蒸発器により形成された冷気は前記送風ファンの作動により流動するようになる。前記蒸発器から形成される冷気は、循環流路を通じて流動しながら、冷凍室、冷蔵室及び該冷蔵室と共に備わった野菜室を設定した温度に維持させる。
前記冷蔵庫は、冷気を循環させる方式、冷凍室及び冷蔵室の位置、並びに、蒸発器の構成によって多様な形態に分類される。
【０００４】
最近、冷蔵庫は、使用者の欲求により大型化され、且つ、使用者の便利性を向上させるために多様な機能が付加されている。その一例として、冷蔵庫ドアにディスペンサを備えて、水又は氷を冷蔵庫ドアを開けることなく外部で利用できるようにした冷蔵庫がある。また、冷蔵庫ドアにホームバーを備えて、冷蔵室に保管された飲料水などを冷蔵庫ドアを開けることなく外部から取り出して利用できるようにした冷蔵庫もある。
このような冷蔵庫は、一般家庭で使用されるとき、通常、居間や厨房に位置するようになる。
【０００５】
然るに、このような従来の冷蔵庫においては、最近、冷蔵庫の大型化により厨房や室内で冷蔵庫が占める空間が大きくなることによって、厨房や室内の活用度が低下するという不都合な点があった。
且つ、大型冷蔵庫が厨房や室内に位置するようになる場合、該大型冷蔵庫が室内や厨房の装飾品の役割をするようになって、室内や厨房の雰囲気を左右するようになる。よって、冷蔵庫の外形やデザインが重要な要素として認識されている。
【発明の開示】
【発明が解決しようとする課題】
【０００６】
本発明は、このような従来の課題に鑑みてなされたもので、食品を保管する冷蔵庫にテレビ機能を含んだその他のディスプレー機能を付加することで、室内又は厨房の空間活用度を高めるだけでなく、家電機器使用の便利性を向上できるようにしたディスプレーを備えた冷蔵庫を提供することを目的とする。 
また、本発明の他の目的は、冷蔵庫に備わったディスプレーの作動時、該ディスプレーから発生する熱を效果的に放出できるようにしたディスプレーを備えた冷蔵庫を提供することにある。
【課題を解決するための手段】
【０００７】
このような目的を達成するため、本発明に係るディスプレーを備えた冷蔵庫は、冷凍室及び冷蔵室などが備わった冷蔵庫本体と、前記冷蔵庫本体に装着される冷蔵庫ドアと、前記冷蔵庫本体又は冷蔵庫ドアの一側に装着されるディスプレーと、前記ディスプレーから発生する熱を冷却する放熱手段と、を含んで構成されることを特徴とする。
【発明の効果】
【０００８】
本発明に係るディスプレーを備えた冷蔵庫においては、食品を保管する冷蔵庫にテレビ機能を含んだ多様な映像表示機能を付加することによって、別途に室内にテレビを設置することを排除できるので、室内又は厨房の空間活用度を高め、且つ、大型化された冷蔵庫で室内装飾の効果を高めることができる。
また、食品を保存する冷蔵庫機能とテレビ機能とを共に有するため、家電機器使用の便利性を高めることができる。
また、ディスプレー３００の作動時、該ディスプレー３００から発生する熱を効果的に放出させることによってディスプレー３００の作動が円滑になり、且つ、構成部品が少なくて構造が簡単で製作及び組立が容易である。
【発明を実施するための最良の形態】
【０００９】
以下、本発明に係るディスプレーを備えた冷蔵庫の実施例を、図面に基づいて説明する。
図１は、本発明に係るディスプレーを備えた冷蔵庫の一実施例を示した斜視図で、図２は、図１のディスプレーを備えた冷蔵庫の部分断面図である。
図示したように、本発明に係るディスプレーを備えた冷蔵庫は、冷蔵庫本体１００と、前記冷蔵庫本体１００に装着される冷蔵庫ドア２００と、前記冷蔵庫ドア２００の一側に装着されるディスプレー３００と、前記ディスプレー３００から発生する熱を冷却する放熱手段と、を含んで構成される。
【００１０】
前記冷蔵庫本体１００の内部には、食品が冷凍状態に保管される冷凍室(図示せず)、食品が冷蔵状態に保管される冷蔵室(図示せず)、及び野菜や果物などが保管される野菜室(図示せず)などが備わる。
前記冷蔵庫本体１００の一側に、冷凍室を開閉する冷凍室ドア２００が装着され、前記冷蔵庫本体１００の他側に、冷蔵室を開閉する冷蔵室ドア２００が装着される。
【００１１】
また、前記冷蔵庫ドア２００の前面の一側に所定の面積及び深さを有する装着部Bが設けられ、該装着部Bに前記ディスプレー３００が装着される。前記ディスプレー３００は、LCDパネル３１０、制御回路基板３２０、及び前記LCDパネル３１０を支持するパネルフレーム３４０などを含んで構成される。前記ディスプレー３００のLCDパネル３１０及び制御回路基板３２０が装着部B内に位置し、前記LCDパネル３１０が冷蔵庫ドア２００側に固定される。
【００１２】
前記冷蔵庫ドア２００の装着部Bは、冷蔵庫ドア２００を構成する外側板２１０に所定の大きさに形成された孔２１１と、前記冷蔵庫ドア２００の外側板２１０と内側板２２０間の断熱材２３０に所定の面積及び深さに形成された溝２３１と、前記断熱材２３０の溝２３１の内面に相応するように形成され、厚さが一定で、前記断熱材２３０の溝２３１に挿入されて結合される内壁ケーシング２４０と、を含んで構成される。
【００１３】
前記放熱手段は、外部の空気が前記ディスプレー３００が挿入される装着部B内に流入されて、該装着部Bの内壁、即ち、内壁ケーシング２４０とディスプレー３００の後面との間を経て外部に流動するように案内する空気循環流路を含んで構成される。
前記空気循環流路は、前記装着部Bを覆蓋するパネルフレーム３４０にそれぞれ貫通形成される流入口３４１及び流出口３４２と、前記パネルフレーム３４０の流入口３４１及び流出口３４２に連通され、前記ディスプレー３００の後面と装着部Bの内壁間の空間の内側流路２５０と、から構成される。
【００１４】
前記流入口３４１及び流出口３４２は、それぞれ前記パネルフレーム３４０の上部及び下部に形成される。且つ、前記流入口３４１及び流出口３４２は、それぞれ前記パネルフレーム３４０の左部及び右部に形成することもできる。
前記流入口３４１及び流出口３４２は、複数の小さい孔に形成することが好ましい。
また、前記ディスプレー３００から発生する熱をより效果的に放熱するため、前記空気循環流路に空気を強制循環させる放熱ファン２６０を備えることができる。
【００１５】
前記放熱ファン２６０は、ディスプレー３００を構成する部品中、熱を最も多く発生する部品に隣接して設置することが好ましい。前記ディスプレー３００で熱を最も多く発生する部品は、制御回路基板３２０を構成するインバータ３２１であるので、前記放熱ファン２６０は、前記インバータ３２１の側部に設置することが好ましい。
図中、未説明符号３３０は、電磁波遮断板である。
【００１６】
以下、このように構成された本発明に係るディスプレーを備えた冷蔵庫の作動について説明する。
従来と同様に、食品を保管する場合冷凍室や冷蔵室に保管し、その他の野菜や果物を保管する場合野菜室に保管し、その保管された食品を使用する場合冷蔵庫ドア２００を開けて保管された食品を取り出して使用する。
また、テレビ番組を楽しみたい場合は、冷蔵庫ドア２００に装着されたディスプレー３００をオン(ON)して所望のテレビ番組を視聴する。
【００１７】
前記ディスプレー３００は作動中に熱を発生するが、その熱は、主に制御回路基板３２０から発生し、特に、該制御回路基板３２０を構成するインバータ３２１から多く発生する。前記ディスプレー３００から発生する熱は、図３に示したように、外部の空気が空気循環流路を通じて流入及び流出される循環過程で共に外部に放出される。即ち、外部の空気が前記パネルフレーム３４０に形成された流入口３４１から装着部B内に流入され、該装着部Bに流入された空気はディスプレー３００の後面、即ち、制御回路基板３２０の後面と装着部Bの内壁間の空間の内側流路２５０を通じて流動して、パネルフレーム３４０に形成された流出口３４２から外部に流出される。この過程で、ディスプレー３００から発生する熱が空気と共に外部に放出されながら、該ディスプレー３００を冷却するようになる。
【００１８】
また、前記空気循環流路に放熱ファン２６０が装着された場合は、該放熱ファン２６０の作動により外部の空気が空気循環流路を通じて強制循環流動するようになるので、放熱効果をより高めることができる。
一方、本発明に係るディスプレーを備えた冷蔵庫を構成する放熱手段は、多様な形態に具現することができ、その放熱手段の他の実施例は次のようである。
図４は、本発明に係るディスプレーを備えた冷蔵庫を構成する放熱手段の他の実施例を示した断面図である。
【００１９】
図示したように、前記放熱手段は、前記冷蔵庫ドア２００の一側に所定の面積に貫通形成された装着孔２７０と、前記冷蔵庫ドア２００の装着孔２７０に挿入固定され、内部に前記ディスプレー３００が装着される装着溝４１１が形成された断熱ケーシング４１０と、前記断熱ケーシング４１０に結合され、前記ディスプレー３００から発生する熱を冷蔵庫ドア２００内側の冷たい空間に伝達する熱伝達部材４２０と、を含んで構成される。
【００２０】
前記冷蔵庫ドア２００の装着孔２７０は、該冷蔵庫ドア２００の前面の一側に四角形状に形成される。且つ、前記断熱ケーシング４１０は、前記四角形状の装着孔２７０に挿入されるように外形が六面体状に形成され、その一面に前記装着溝４１１が形成される。
前記ディスプレー３００は、所定形状のディスプレーケーシング４３０に挿入して、前記断熱ケーシング４１０の装着溝４１１に装着することが好ましい。且つ、前記ディスプレーケーシング４３０に、前記ディスプレー３００の制御回路基板３２０を構成するインバータ３２１が外部に露出されるように孔４３１を形成することが好ましい。
【００２１】
前記熱伝達部材４２０は、所定の長さに形成される。前記熱伝達部材４２０は、断熱ケーシング４１０の背壁４１２に結合され、その一側が前記ディスプレー３００の発熱部品に接触される。前記ディスプレー３００の構成部品中、熱を最も多く発生する発熱部品はインバータ３２１であるので、前記熱伝達部材４２０は、前記インバータ３２１に接触されることが好ましい。
一方、前記ディスプレー３００から発生する熱を效果的に熱伝達部材４２０に伝達するため、前記ディスプレー３００の後面側、即ち、制御回路基板３２０の後面に、所定の面積を有する伝熱薄板(図示せず)を接触させ、該伝熱薄板に前記熱伝達部材４２０を接触させることができる。
【００２２】
前記熱伝達部材４２０は、その一端が前記断熱ケーシング４１０の背壁４１２内に位置するように結合される。且つ、前記断熱ケーシング４１０の背壁４１２は、冷蔵庫本体１００の冷凍室又は冷蔵室側に位置される。
一方、前記熱伝達部材４２０に伝達された熱が、冷蔵庫ドア２００の内側の冷蔵室又は冷凍室により效果的に伝達されるように、図５に示したように、前記熱伝達部材４２０の一側を前記断熱ケーシング４１０の背壁４１２に貫通結合して、前記熱伝達部材４２０の一端を冷蔵室又は冷凍室に露出させることが好ましい。
【００２３】
且つ、前記冷蔵室又は冷凍室に露出される熱伝達部材４２０の端部に複数の放熱フィン４２１を備えることが好ましい。
前記熱伝達部材４２０は、熱伝達性能の優れたアルミニウムを含有する材質から形成される。且つ、前記伝熱薄板は、アルミニウム又は銅中少なくとも何れか一つを含有する材質から形成される。
このような放熱手段の作動を説明すると次のようである。
まず、使用者が冷蔵庫ドア２００に装着されたディスプレー３００を作動させると、該ディスプレー３００から熱が発生する。このとき、制御回路基板３２０から熱が発生するが、主に、該制御回路基板３２０を構成するインバータ３２１から熱が最も多く発生する。
【００２４】
前記ディスプレー３００の制御回路基板３２０から発生する熱は、図６に示したように、熱伝達部材４２０に伝達され、該熱伝達部材４２０に伝達された熱は、冷蔵庫ドア２００の内側の冷蔵室又は冷凍室に伝達されることで放熱され、このような過程の持続によりディスプレー３００が冷却される。
且つ、前記ディスプレー３００の後面に伝熱薄板が装着される場合、ディスプレー３００から発生する熱がより効果的に放熱される。
前記断熱ケーシング４１０は、冷蔵庫ドア２００内の冷気が外部に伝達されることを遮断し、前記ディスプレーケーシング４３０は、振動や衝撃が発生する場合、前記ディスプレー３００を保護する。
【００２５】
本発明に係るディスプレーを備えた冷蔵庫において、前記ディスプレー３００は、冷蔵庫ドア２００だけでなく、冷蔵庫本体１００に設置することができる。且つ、前記ディスプレー３００は、多様な種類の冷蔵庫に装着することができる。前記ディスプレー３００は、テレビ受信が可能なものに限定されることなく、タッチスクリーンなど、多様な映像表示機能を含むことができる。
【図面の簡単な説明】
【００２６】
【図１】本発明に係るディスプレーを備えた冷蔵庫の一例を示した斜視図である。
【図２】図１のディスプレーを備えた冷蔵庫の部分断面図である。
【図３】図２のディスプレーを備えた冷蔵庫の作動状態を示した部分断面図である。
【図４】本発明に係るディスプレーを備えた冷蔵庫を構成する放熱手段の他の実施例を示した断面図である。
【図５】図４の放熱手段を構成する熱伝達部材の他の実施例を示した断面図である。
【図６】図４の放熱手段の作動状態を示した断面図である。
【符号の説明】
【００２７】
１００…冷蔵庫本体
２００…冷蔵庫ドア
２４０…内壁ケーシング
２５０…内側流路
２６０…放熱ファン
２７０…装着孔
３００…ディスプレー
３４０…パネルフレーム
３４１…流入口
３４２…流出口
４１０…断熱ケーシング
４１１…装着溝
４２０…熱伝達部材
４３０…ディスプレーケーシング
Ｂ…装着部
【図１】
2004271175.tif 000003
【図２】
2004271175.tif 000004
【図３】
2004271175.tif 000005
【図４】
2004271175.tif 000006
【図５】
2004271175.tif 000007
【図６】
2004271175.tif 000008